(57)【要約】【課題】  忘れ物の管理を少ない手間で行うことができる無線管理装置を提供すること。【解決手段】  家屋１の玄関２および居住者の携行品にはＲ／Ｗ部およびタグ部が取付けられており、居住者が玄関２を通って外出するときには携行品のタグ部から玄関のＷ／Ｒ部に携行品データが送信され、Ｒ／Ｗ部が携行品データの受信結果を予め設定された持出品データと比較することで忘れ物の有無を判定する。この構成の場合、忘れ物の管理を行う場合に面倒な記帳作業および入力作業を行う必要性が少なくなるので、忘れ物の管理が容易になる。【選択図】  図３
2005107860.tif 000002
【特許請求の範囲】
【請求項１】
家屋の居住者が携行する携行品に設けられ、携行品の品名情報を無線で送信する送信機と、
前記送信機からの品名情報を家屋の出入口で受信する受信機とを備え、
前記受信機は、
外出時に必要な携行品が居住者毎に記録可能な記録部と、
家屋の出入口を通して外出する居住者を識別する外出者識別部と、
前記記録部から前記外出者識別部の識別結果に応じた携行品を検出し、携行品の検出結果と品名情報の受信結果とを比較する比較部と、
前記比較部の比較結果を報知する報知部と
を有していることを特徴とする無線管理装置。
【請求項２】
家屋の居住者が携行する携行品に設けられ、携行品の品名情報を無線で送信する送信機と、
前記送信機からの品名情報を家屋の出入口で受信する受信機とを備え、
前記受信機は、
家屋の出入口を通して外出する居住者を識別する外出者識別部と、
居住者の外出時に受信した品名情報を前記外出者識別部の識別結果毎に記録する記録部と、
家屋の出入口を通して帰宅する居住者を識別する帰宅者識別部と、
前記帰宅者識別部の識別結果に応じた品名情報を前記記録部から検出し、居住者の帰宅時に受信した品名情報と比較する比較部と、
前記比較部の比較結果を報知する報知部と
を有していることを特徴とする無線管理装置。
【請求項３】
家屋の居住者が携行する携行品に設けられ、携行品の品名情報を無線で送信する送信機と、
前記送信機からの品名情報を家屋の出入口で受信する受信機とを備え、
前記受信機は、
時事情報の入力結果に基いて外出時に必要な携行品を検出する検出部と、
前記検出部の検出結果と品名情報の受信結果とを比較する比較部と、
前記比較部の比較結果を報知する報知部と
を有していることを特徴とする無線管理装置。
【請求項４】
家屋内の物品に設けられ、物品情報を無線で送信する送信機と、
前記送信機からの物品情報を家屋の出入口で受信する受信機とを備え、
前記受信機は、
在宅者の有無を検出する検出部と、
在宅者の非存在状態で物品情報を受信することに基いて警告を行う警告部と
を有していることを特徴とする無線管理装置。
【発明の詳細な説明】
【技術分野】
【０００１】
本発明は、物品の出入を無線で管理する無線管理装置に関する。
【背景技術】
【０００２】
例えば一般家庭では、居住者が物品の出入を帳面に記録したりパーソナルコンピュータに入力することで管理している。
【特許文献１】特開２０００−３１０４７６号公報
【発明の開示】
【発明が解決しようとする課題】
【０００３】
従来では、物品の出入を管理する場合に面倒な記帳作業および入力作業を行う必要があるので、出入の管理が疎かになる虞れがある。
本発明は上記事情に鑑みてなされたものであり、その目的は、物品の管理を少ない手間で行うことができる無線管理装置を提供することにある。
【課題を解決するための手段】
【０００４】
請求項１〜４に係る各発明は物品から送信される管理情報を家屋の出入口で受信し、管理情報の受信結果に基いて物品の出入を管理するものである。以下、請求項１〜４に係る発明を個別に説明する。
＜請求項１に係る発明について＞
請求項１に係る発明は居住者の外出時に家屋の出入口で携行品から品名情報を無線で取得し、品名情報の無線取得結果と外出者に応じた記録データとを比較することで携行品の出入を管理するものであり、用語の意義は次の通りである。
１）送信機：家屋の居住者が携行する携行品に機械的に一体化されたものである。この送信機は品名情報を無線で送信することが可能なものであり、品名情報とは携行品を特定する情報を称する。
２）受信機：送信機からの品名情報を家屋の出入口で受信するものであり、少なくともアンテナ等の受信部が出入口付近に設置されているものである。即ち、受信機とは居住者が出入口を通るときに送信機からの品名情報を受信するものである。これら受信機および送信機は出入口付近の通信領域内で磁気的に結合した通信可能状態になり、通信領域外で磁気的に遮断された通信不能状態になることが好ましい。また、受信機は送信機に電力信号を送信する第１の送受信機から構成することが好ましく、送信機は受信機からの電力信号を受信して駆動電源を生成する第２の送受信機から構成することが好ましい。
３）記録部：外出時に必要な携行品が居住者毎に記録可能なメモリを称するものであり、記録部の記録データは使用者が入力手段を操作することに基いて入力する構成であっても良く、予め入力されていても良い。
４）外出者識別手段：家屋の出入口を通って外出する居住者を識別するものである。具体的には送信機から品名情報と共に持主情報を送信し、外出者識別手段が持主情報の受信結果に基いて外出者を識別したり、居住者が入力手段を操作することに基いて外出者名を入力し、外出者識別手段が入力手段の操作内容に基いて外出者を識別すると良い。
５）比較部：記録部から外出者の識別結果に応じた携行品を検出し、品名情報の受信結果と携行品の検出結果とを比較するものである。即ち、品名情報の受信結果が携行品の検出結果に対して不足しているときには外出時に忘れ物があることを認識するものである。
６）報知部：品名情報の受信結果と携行品の検出結果との比較結果を報知するものであり、外出時に忘れ物が検出されたときには忘れ物があることを報知したり、忘れ物の品名を報知するものである。この報知は表示部の表示内容を制御することに基いて映像で行ったり、鳴動部の鳴動内容を制御することに基いて音声で行うと良い。
＜請求項２に係る発明について＞
請求項２に係る発明は居住者の帰宅時に家屋の出入口で携行品から品名情報を無線で取得し、品名情報の無線取得結果を帰宅者の直前の外出時に取得した記録データと比較することで携行品の出入を管理するものであり、用語の意義は次の通りである。
１）送信機：＜請求項１に係る発明について＞で説明した通りである。
２）受信機：＜請求項１に係る発明について＞で説明した通りである。
３）外出者識別部：＜請求項１に係る発明について＞で説明した通りである。
４）記録部：帰宅者の直前の外出時に受信した品名情報が記録可能なものであり、記録部の記録データは帰宅者が外出先から持帰るべき携行品を示している。
５）帰宅者識別部：家屋の出入口を通って帰宅する居住者を識別するものである。具体的には送信機から品名情報と共に持主情報を送信し、帰宅者識別手段が持主情報の受信結果に基いて帰宅者を識別したり、居住者が入力手段を操作することに基いて帰宅者名を入力し、外出者識別手段が入力手段の操作内容に基いて帰宅者を識別すると良い。
６）比較部：帰宅者の識別結果に応じた記録データを記録部から検出し、居住者の帰宅時に受信した品名情報と比較するものである。即ち、品名情報の受信結果が記録データの検出結果に対して不足しているときには帰宅時に忘れ物があることを認識するものである。
７）報知部：品名情報の受信結果と記録データの検出結果との比較結果を映像・音声等で報知するものであり、帰宅時に忘れ物が検出されたときには忘れ物があることを報知したり、忘れ物の品名を報知するものである。
＜請求項３に係る発明について＞
請求項３に係る発明は居住者の外出時に家屋の出入口で携行品から品名情報を無線で取得し、品名情報の無線取得結果を時事情報に基いて検出した携行品と比較することで携行品の出入を管理するものであり、用語の意義は次の通りである。
１）送信機：＜請求項１に係る発明について＞で説明した通りである。
２）受信機：＜請求項１に係る発明について＞で説明した通りである。
３）検出部：外出時に必要な携行品を時事情報に基いて検出するものであり、時事情報とは外出時に入力されるその時々の情報を称する。この時事情報には外出者が入力する外出の目的情報・インターネット回線を通して得られる天気情報等が該当する。
４）比較部：品名情報の受信結果と携行品の検出結果とを比較するものである。即ち、品名情報の受信結果が携行品の検出結果に対して不足しているときには時事特有の忘れ物があることを認識するものである。
５）報知部：品名情報の受信結果と携行品の検出結果との比較結果を映像・音声等で報知するものであり、外出時に忘れ物が検出されたときには忘れ物があることを報知したり、忘れ物の品名を報知するものである。
＜請求項４に係る発明について＞
請求項４に係る発明は家屋の出入口で物品から物品情報を無線で取得し、在宅者の不在時に物品情報が存在することに基いて物品の盗難を認識するものであり、用語の意義は次の通りである。
１）送信機：家屋内の物品に機械的に一体化されたものである。この送信機は物品情報を無線で送信することが可能なものであり、物品情報とは物品名を特定する情報に限定されるものではなく、家屋内の物品であることそのものを特定する情報であっても良い。
２）受信機：送信機からの物品情報を家屋の出入口で受信するものであり、物品が出入口を通るときに送信機からの物品情報を受信するものである。これら受信機および送信機の具体構成は＜請求項１に係る発明について＞で説明した通りである。
３）検出部：在宅者の有無を確認するものである。具体的には送信機から物品情報と共に持主情報を送信し、持主情報の受信結果に基いて外出者および帰宅者をチェックすることで在宅者の有無を識別したり、あるいは、居住者が入力手段を操作することに基いて在宅者名を入力し、入力手段の操作内容に基いて在宅者の有無を識別すると良い。
４）警告部：在宅者の不在状態で物品情報を受信することに基いてセキュリティの突破を認識し、警告を行うものである。この警告は家屋の警報機を作動させることで行ったり、警備会社に回線を通して通知することで行ったり、居住者が所持する携帯電話機に電子メールを送信することで行うと良い。この警告は盗難の発生を報知する内容に限定されるものではなく、盗難品を報知する内容であっても良い。
【発明の効果】
【０００５】
請求項１〜４に係る各発明によれば、物品から送信される管理情報を家屋の出入口で受信し、管理情報の受信結果に基いて物品の出入を管理した。このため、物品の管理を行う場合に面倒な記帳作業および入力作業を行う必要性が少なくなるので、物品の管理が容易になる。
請求項１に係る発明によれば、外出時の受信情報を外出に必要な携行品データと比較した。このため、外出時に忘れ物があることを無線で検出し、外出者等に知らせることができる。
請求項２に係る発明によれば、帰宅時の受信情報を直前の外出時に取得した受信データと比較した。このため、帰宅時に忘れ物があることを無線で検出し、帰宅者等に知らせることができる。
請求項３に係る発明によれば、外出時の受信情報を時事情報に基いて検出した検出データと比較した。このため、外出時に時事特有の忘れ物があることを無線で検出し、外出者等に知らせることができる。
請求項４に係る発明によれば、在宅者の非存在状態で受信情報の有無を判断した。このため、物品の盗難を検出し、警告を行うことができる。
【発明を実施するための最良の形態】
【０００６】
家屋の出入口および居住者の携行品に無線通信機を取付ける。そして、居住者が出入口を通過するときに携行品の無線通信機から出入口の無線通信機に管理情報を送信し、出入口の無線通信機側で管理情報の受信結果を処理することで外出時の忘れ物および帰宅時の忘れ物を検出する。以下、当該形態の実施例を図面に基いて説明する。
＜実施例１＞
【０００７】
家屋１の玄関２には、図３に示すように、外側に位置してボックス３が固定されている。この玄関２は居住者の出入口に相当するものであり、ボックス３内には、図２に示すように、受信機に相当するＲ／Ｗ部４が収納されている。このＲ／Ｗ部４は発振回路５と変調回路６と共振回路７とアンテナ駆動回路８と復調回路９と制御回路１０とを有するものであり、Ｒ／Ｗ部４の詳細は次の通りである。
【０００８】
発振回路５は直流電源からのエネルギーを一定周波数の発振信号に変換するものであり、変調回路６は発振回路５からの発振信号を振幅変調する。共振回路７は送受信用のアンテナコイル１１および共振コンデンサ１２からなるものであり、アンテナ駆動回路８は変調回路６からの発振信号に基いてアンテナコイル１１を駆動し、アンテナコイル１１からキャリア信号を送信する。復調回路９はアンテナコイル１１に流れる電流を波形整形するものであり、制御回路１０は復調回路９からの検波信号に基いてアンテナコイル１１の受信内容を認識する。
【０００９】
制御回路１０はマイクロコンピュータを主体に構成されたものであり、外出者識別部・比較部・報知部・帰宅者識別部・推定部・検出部・警告部に相当するＣＰＵと記録部に相当するＲＯＭと記録部に相当するＲＡＭとを有している。この制御回路１０のＲＯＭには制御プログラムが記録されており、制御回路１０のＣＰＵは変調回路６を制御プログラムに基いて駆動制御することで発振回路５からの発振信号を振幅変調し、アンテナコイル１１からキャリア信号としてデータ要求信号を発振する。
【００１０】
制御回路１０のＲＯＭには携行品テーブルおよび持出品テーブルが記録されている。持出品テーブルは外出時に必要な携行品を居住者毎に示すものであり、持出品テーブルには、図５に示すように、所有者名と所有者が外出時に持出す持出品名とが対応付けて記録されている。携行品テーブルは、図６に示すように、携行品名とＩＤコードと発振順序とが対応付けて記録されたものであり、制御回路１０のＣＰＵはデータ要求信号に携行品テーブルの発振順序でＩＤコードを付与する。即ち、制御回路１０のＣＰＵはＩＤコードが付与されたデータ要求信号を無線で送信するものであり、ＩＤコードは携行品テーブルに記録された発振順序に従って「１」から「Ｍａｘ」に順に変更され、固有のＩＤコードが付与されたデータ要求信号の発振が携行品テーブルに記録された全種の携行品について行われる。
【００１１】
ボックス３の前面には、図４に示すように、入力手段に相当するキー入力部１３が装着されており、キー入力部１３は、図２に示すように、制御回路１０に電気的に接続されている。このキー入力部１３は制御回路１０に制御情報を入力する複数のスイッチからなるものであり、携行品テーブルおよび持出品テーブルは使用者が事前にキー入力部１３を操作することに基いて予め設定したものである。このキー入力部１３は居住者が外出時および帰宅時に操作する外出帰宅入力手段として機能するものであり、制御回路１０のＣＰＵはキー入力部１３の操作内容に応じて居住者の外出および帰宅を識別する。
【００１２】
ボックス３の前面には、図４に示すように、液晶表示器からなる表示部１４が装着されており、表示部１４は、図２に示すように、ＬＣＤ駆動回路１５を介して制御回路１０に電気的に接続されている。このＬＣＤ駆動回路１５はボックス３内に収納されたものであり、制御回路１０のＣＰＵは表示部１４の表示内容をＬＣＤ駆動回路１５を通して制御することで外出者および帰宅者に忘れ物の有無を報知する。
【００１３】
居住者の携行品には、図２に示すように、送信機に相当するタグ部１６が固定されている。このタグ部１６はＲ／Ｗ部４に携行品データを無線で送信するものであり、タグ部１６の詳細は次の通りである。共振回路１７はアンテナコイル１８および共振コンデンサ１９からなるものであり、タグ部１６のアンテナコイル１８は携行品が家屋１の玄関２の付近に存在する状態でＲ／Ｗ部４のアンテナコイル１１に磁気的に結合され、Ｒ／Ｗ部４のアンテナコイル１１から発振されるキャリア信号を磁気的に受信する。即ち、アンテナコイル１１およびアンテナコイル１８は居住者が外出時および帰宅時にボックス３の前で立止まってキー入力部１３を操作するときに磁気的に結合されるものである。
【００１４】
電源回路２０は共振回路１７からのキャリア信号を整流平滑することに基いて安定化電源を生成するものであり、タグ部１６は電源回路２０の出力を電源として駆動する。即ち、居住者が外出時および帰宅時にボックス３の前で立止まってキー入力部１３を操作するときにはタグ部１６のアンテナコイル１８がＲ／Ｗ部４のアンテナコイル１１に磁気的に結合され、タグ部１６のアンテナコイル１８がＲ／Ｗ部４のアンテナコイル１１からのキャリア信号を受信することに基いて駆動電源を生成する。
【００１５】
復調回路２１は共振回路１７からのキャリア信号を同期検出するものであり、キャリア信号の同期検出結果を検波することに基いてＲ／Ｗ部４からのデータ要求信号を受信する。メモリ２２は携行品データを記憶する記憶手段に相当するものであり、ＥＥＰＲＯＭから構成されている。この携行品データはＲ／Ｗ部４からのデータ要求信号に応答して応答データを送信するときのベースになるものであり、メモリ２２には、図７に示すように、携行品データとして携行品のＩＤコードと携行品名と所有者名と購入年月日と携行品データの作成年月日と備考とが記録されている。尚、備考とは携行品のＩＤコード〜携行品データの作成年月日以外の事項を称する。
【００１６】
図２の変調回路２４は復調回路２１がＲ／Ｗ部４からのデータ要求信号を受信することに基いてメモリ２２から携行品データとして携行品名および所有者名を検出する。これら携行品名および所有者名は品名情報および持主情報に相当するものであり、変調回路２４は携行品名および所有者名の検出結果に応じて負荷変更回路２３をオンオフ制御する。この変調回路２４の一連の動作はデータ要求信号のＩＤコードとメモリ２２のＩＤコードとが一致していることを条件に行われるものであり、負荷変更回路２３のオンオフ時には抵抗２５が無効状態および有効状態に切換わる。この抵抗２５はアンテナコイル１８の負荷に相当するものであり、抵抗２５の無効状態および有効状態ではアンテナコイル１８のインダクタンスが相対的に変化し、Ｒ／Ｗ部４のアンテナコイル１１に流れる電流振幅が変わる。
【００１７】
Ｒ／Ｗ部４の復調回路９はアンテナコイル１１に流れる電流を波形整形して制御回路１０に出力するものであり、制御回路１０はタグ部１６からの応答内容を復調回路９からの検波信号に基いて認識し、携行品名および所有者名を検出する。即ち、タグ部１６はＲ／Ｗ部４からの呼掛けに応じて携行品データを無線で返信するものであり、携行品データの返信はデータ要求信号のＩＤコードと自身のＩＤコードとが一致していることを条件に限定的に行われる。
【００１８】
Ｒ／Ｗ部４の制御回路１０はタグ部１６からの携行品データの返信結果を集計することに基いて外出者が必要な携行品を所持して外出したか否か・外出者が持出した携行品を所持して帰宅したか否かをチェックし、表示部１４にチェック結果に応じた内容の表示を行うものである。図１は制御回路１０のＲＯＭに記録された制御プログラムを示すフローチャートであり、制御回路１０のＣＰＵは図１のフローチャートに従ってデータ要求信号の発振処理および携行品データの集計処理を行う。以下、制御回路１０の制御内容を図１に基いて説明する。
【００１９】
制御回路１０は図１のステップＳ１で在宅者が外出するか否かを判断し、ステップＳ２で外出者が帰宅したか否かを判断する。これら外出および帰宅は制御回路１０がキー入力部１３の操作内容に基いて判断するものであり、在宅者がキー入力部１３を用いて外出を入力したときにはステップＳ１で外出が判断され、ステップＳ３でフラグが外出状態にセットされる。また、外出者が帰宅を入力したときにはステップＳ２で帰宅が判断され、ステップＳ４でフラグが帰宅状態にセットされる。このキー入力部１３の操作時には外出者または帰宅者がボックス３の前に立止まった状態に居り、外出者または帰宅者が所持する全ての携行品のタグ部１６がボックス３内のＲ／Ｗ部４に磁気的に結合される。
【００２０】
制御回路１０はステップＳ５へ移行すると、発振順序用のカウンタＮに「Ｎ＋１」をセットする。このカウンタＮは「０」に初期設定されるものであり、１回目のステップＳ５ではカウンタＮが「１」にセットされる。
制御回路１０はステップＳ６へ移行すると、図６の携行品テーブルからカウンタＮの現在の計測値に対応するＩＤコードを検出する。そして、データ要求信号にＩＤコードの検出結果を付与し、データ要求信号を発振する。すると、外出者または帰宅者が所持する全ての携行品のタグ部１６が共通のデータ要求信号を受信する。そして、全てのタグ部１６がデータ要求信号のＩＤコードと自身のＩＤコードとを比較し、ＩＤコードの一致を確認したタグ部１６だけが所有者名および携行品名を携行品データとして返信する。即ち、外出者または帰宅者がＩＤコードと同一の携行品を所持していたときには携行品のタグ部１６がＲ／Ｗ部４からの呼掛けに応答し、所有者名および携行品名を返信する。また、外出者または帰宅者がＩＤコードと同一の携行品を所持していなかったときには全てのタグ部１６がＲ／Ｗ部４からの呼掛けに応答せず、所有者名および携行品名が返信されない。
【００２１】
制御回路１０は図１のステップＳ７へ移行すると、携行品データの返信の有無を判断する。ここで携行品データの返信を確認したときにはステップＳ８へ移行し、ＲＡＭに携行品データの返信内容として所有者名および携行品名を記録する。
制御回路１０はステップＳ９へ移行すると、カウンタＮの現在の計測値を最大値Ｍａｘと比較する。ここで「Ｎ＜Ｍａｘ」を検出したときにはステップＳ５でカウンタＮに「１」を加算し、ステップＳ６〜Ｓ９を繰返す。即ち、データ要求信号のＩＤコードが携行品テーブルに記録された発振順序に従って「１」から「Ｍａｘ」に変更され、携行品データの有無および内容が携行品データに記録された全ての携行品に対してチェックされる。
【００２２】
制御回路１０は全ての携行品に対して携行品データの有無および内容をチェックすると、ステップＳ１０でＲＡＭから所有者名の記録データを検出し、ステップＳ１１でフラグの設定状態を判断する。例えばフラグが外出状態にセットされているときにはステップＳ１１で外出を判断し、ステップＳ１２へ移行する。
制御回路１０はステップＳ１２へ移行すると、図５の持出品テーブルから所有者名の検出結果に応じた持出品を検出する。例えば所有者名の検出結果が「東芝太郎」であるときには持出品テーブルから持出品として「財布・鍵・鞄・時計・定期券」が検出される。
【００２３】
制御回路１０は図１のステップＳ１３へ移行すると、ＲＡＭから携行品名の無線検出結果を取得し、持出品の検出結果と比較する。そして、ステップＳ１４へ移行し、図４の（ａ）に示すように、両者の比較結果・所有者名の検出結果・持出品データの検出結果を表示部１４に表示することで外出者に報知する。
例えば携行品名の無線検出結果と持出品の検出結果とが完全一致していることを検出したときには表示部１４にメッセージ「携行品は全て揃っています」を表示することで必要な持出品を過不足なく携行していることを外出者に報知する。また、携行品の無線検出結果が持出品の検出結果に対して不足していることを検出したときには表示部１４に不足している携行品名を表示することで外出者に携行品の不足を報知し、携行品の無線検出結果が持出品の検出結果に対して余分であることを検出したときには表示部１４に余分な携行品名を表示することで外出者に携行品の余分を報知する。図４の（ａ）は携行品として「財布」が不足している場合の表示内容であり、「財布」が不足している場合にはメッセージ「財布を忘れています」が表示される。
【００２４】
制御回路１０は携行品および持出品の比較結果を報知すると、図１のステップＳ１５で持込品データを設定し、持込品データの設定結果をＲＡＭに記録する。そして、ステップＳ１６へ移行し、フラグをクリアする。この持込品データは所有者名と外出時に持出した携行品名とが対応付けて記録されたものであり、ステップＳ８でＲＡＭに記録した携行品データの無線検出結果が持込品データとして使用される。例えば所有者「東芝太郎」が「財布・鍵・鞄・時計」を携行品として持出したときにはステップＳ８で所有者名「東芝太郎」および携行品名「財布・鍵・鞄・時計」がＲＡＭに記録され、ステップＳ１５で所有者名「東芝太郎」の持込品データ「財布・鍵・鞄・時計」が設定される。
【００２５】
制御回路１０はステップＳ１１でフラグが帰宅状態にセットされていることを検出すると、ステップＳ１７で所有者名の無線検出結果に応じた持込品データをＲＡＭから検出する。そして、ステップＳ１８で携行品名の無線検出結果および持込品データの検出結果とを比較し、図４の（ｂ）に示すように、ステップＳ１９で両者の比較結果・所有者名の検出結果・持込品データの検出結果・携行品の無線検出結果を表示部１４に表示することで帰宅者に報知する。
【００２６】
例えば携行品名の無線検出結果と持込品データの検出結果とが完全一致しているときには表示部１４にメッセージ「携行品は全て揃っています」を表示することで持出した携行品を過不足なく携行していることを帰宅者に報知する。また、携行品の無線検出結果が持込品データの検出結果に対して不足しているときには表示部１４に不足している携行品を表示することで帰宅者に携行品の不足を報知する。図４の（ｂ）は携行品として「財布」が不足している場合の表示内容であり、「財布」が不足しているときにはメッセージ「財布を忘れています」が表示される。
【００２７】
制御回路１０はステップＳ２０へ移行すると、所有者名の無線検出結果に応じた持込品データをクリアする。そして、ステップＳ１６へ移行し、フラグをクリアする。
上記第１実施例によれば、携行品のタグ部１６から送信される携行品データを家屋１の玄関２の付近で受信し、携行品データの受信結果に基いて携行品の出入を管理した。このため、携行品の管理を行う場合に面倒な記帳作業および入力作業を行う必要性が少なくなるので、携行品の管理が容易になる。しかも、携行品データの受信結果を外出に必要な持出品データと比較した。このため、外出時に忘れ物があることを無線で検出し、外出者に知らせることができる。さらに、帰宅時の携行品データを直前の外出時に取得した携行品データと比較した。このため、帰宅時に忘れ物があることを無線で検出し、帰宅者に知らせることができる。
＜実施例２＞
【００２８】
制御回路１０のＲＯＭには、図９に示すように、持出品テーブルが記録されている。この持出品テーブルは使用者が事前にキー入力部１３を操作することに基いて設定したものであり、持出品テーブルには所有者に応じた持出品が外出の目的別に記録されている。キー入力部１３は居住者が外出時に外出の目的を入力する外出目的入力手段として機能するものであり、外出者がキー入力部１３を操作することに基いて外出および外出目的を入力すると、制御回路１０は図８のステップＳ３でフラグを外出状態に設定し、ステップＳ２１で外出目的の入力結果をＲＡＭに記録する。
【００２９】
制御回路１０はステップＳ１１でフラグが外出状態にセットされていることを検出すると、ステップＳ１２で持出品テーブルから所有者名の無線検出結果および外出目的の記録結果に応じた持出品データを検出する。即ち、制御回路１０は時事情報として外出目的が入力されることに基いて時事情報に応じた持出品データを検出するものであり、キー入力部１３は時事情報の入力手段に相当する。
【００３０】
制御回路１０は外出目的に応じた持出品データを検出すると、ステップＳ１３で携行品の無線検出結果と持出品データの検出結果とを比較し、ステップＳ１４で両者の比較結果および所有者名の検出結果を外出者に報知する。
例えば所有者名の無線検出結果が「東芝一郎」で外出目的の記録結果が「登校」であるときには図９の持出品テーブルから「東芝一郎」および「登校」に応じた持出品データ「財布・鍵・生徒手帳」が検出され、持出品データの検出結果「財布・鍵・生徒手帳」と携行品の無線検出結果とが比較される。ここで携行品の無線検出結果に「生徒手帳」が存在しないときにはメッセージ「生徒手帳を忘れています」が表示され、「東芝一郎」に「生徒手帳」の忘れ物があることが警告される。
【００３１】
上記第２実施例によれば、外出時の携行品データを外出目的の入力結果に基いて検出した持出品データと比較した。このため、外出時に外出目的特有の忘れ物があることを無線で検出し、外出者に知らせることができる。
＜実施例３＞
【００３２】
制御回路１０は、図１２に示すように、パーソナルコンピュータ２６およびインターネット回線２７を介してサーバー２８に接続されている。このサーバー２８は天気情報を配信するものであり、制御回路１０はサーバー２８からインターネット回線２７およびパーソナルコンピュータ２６を介して天気情報を取得する。キー入力部１３は帰宅日時を入力する入力手段として機能するものであり、外出者がキー入力部１３を操作することに基いて外出・外出目的・帰宅日時を入力すると、制御回路１０は図１０のステップＳ３でフラグを外出状態に設定し、ステップＳ２１で外出目的の入力結果をＲＡＭに記録し、ステップＳ２２で帰宅日時の入力結果をＲＡＭに記録する。
【００３３】
制御回路１０はステップＳ１１でフラグが外出状態にセットされていることを検出すると、ステップＳ１２で所有者名の無線検出結果および外出目的の記録結果に応じた持出品データを図９の持出品テーブルから検出し、図１０のステップＳ２３でパーソナルコンピュータ２６およびインターネット回線２７を介してサーバー２８から帰宅日時の記録結果に応じた天気情報を検出する。
【００３４】
制御回路１０のＲＯＭには、図１１に示すように、持出品追加テーブルが記録されている。この持出品追加テーブルは使用者が事前にキー入力部１３を操作することに基いて予め設定したものであり、持出品追加テーブルには天気情報と天気情報に応じた時事特有の持出品との対応関係が記録されている。
制御回路１０は図１０のステップＳ２３で帰宅日時に応じた天気情報を検出すると、ステップＳ２４で図１１の持出品追加テーブルから天気情報の検出結果に応じた持出品を取得し、ステップＳ１２の持出品の検出結果に追加する。そして、ステップＳ１３で携行品の無線検出結果と持出品の追加結果とを比較し、ステップＳ１４で両者の比較結果および所有者名の検出結果に加えて天気情報の検出結果を外出者に報知する。
【００３５】
例えば天気情報の検出結果が「雪」であるときには図１１の持出品追加テーブルから持出品「傘・手袋」が検出され、所有者名の無線検出結果および外出目的の識別結果に応じた持出品データに「傘・手袋」が追加される。そして、携行品の無線検出結果が「傘・手袋」を含んだ持出品の検出結果と比較され、所有者名の検出結果および天気情報の検出結果「雪」が表示部１４に表示される。ここで携行品の無線検出結果に「傘」が存在しないときにはメッセージ「傘を忘れています」が表示され、「傘」の忘れ物があることが外出者に警告される。
【００３６】
上記第３実施例によれば、外出時の携行品データを天気情報に基いて検出した持出品追加データと比較した。このため、外出時に天気情報特有の忘れ物があることを無線で検出し、外出者に知らせることができる。
上記第１〜第３実施例においては、ボックス３を玄関２に設置したが、これに限定されるものではなく、例えば玄関２および裏口の双方に設置したり、裏口だけに設置しても良く、要は居住者が出入りする出入口に設置すれば良い。
＜実施例４＞
【００３７】
家屋１内の物品にはタグ部１６が固定されている。この物品とは預金通帳・印鑑・金庫・テーブル・装飾品等の家屋１内の物全般を称しており、物品のタグ部１６のメモリ２２にはＩＤコードおよび物品名が記録されている。また、制御回路１０のＲＯＭには、図１５に示すように、物品テーブルが記録されている。この物品テーブルは使用者が事前にキー入力部１３を操作することに基いて予め設定したものであり、物品テーブルには物品名とＩＤコードと発振順序とが対応付けて記録されている。
【００３８】
パーソナルコンピュータ２６には、図１６に示すように、携帯電話機２９がケーブルを介して接続されており、パーソナルコンピュータ２６は制御回路１０からの警告指令を検出することに基いて携帯電話機２９にダイヤル指令を出力する。すると、携帯電話機２９がダイヤル指令を検出し、携帯電話機３０に電子メールを無線で発振する。この携帯電話機３０は外出者が携帯するものであり、外出者は携帯電話機３０の受信内容に基いて制御回路１０からの警告を認識する。この無線警告は制御回路１０が在宅者が居ない状態で物品の持出しを検出することに基いて行われるものであり、無線警告の詳細は次の通りである。
【００３９】
制御回路１０は図１３のステップＳ２５で在宅者の有無をＲＡＭの外出者リストの記録内容に基いて判断する。この外出者リストはステップＳ２７およびステップＳ２８で追加削除されるものであり、具体的にはステップＳ１１でフラグが外出状態にセットされているときにはステップＳ２７で外出者リストに所有者名の無線検出結果が追加され、ステップＳ１１でフラグが帰宅状態にセットされているときにはステップＳ２８で所有者名の無線検出結果が外出者リストから削除される。即ち、外出者リストは外出中の登録者名だけが記録されるものであり、制御回路１０はステップＳ２５で外出者リストに予め登録された全ての登録者が記録されていることを検出したときには在宅者が存在しないと判断し、ステップＳ２６の警告処理へ移行する。例えば登録者名が「東芝太郎」・「東芝花子」・「東芝一郎」・「東芝二郎」の４名であるときには外出者リストに４名が記録されていることに基いて在宅者が無いと判断される。
【００４０】
制御回路１０は警告処理へ移行すると、図１４のステップＳ３１で発振順序用のカウンタＮｏに「Ｎｏ＋１」をセットする。このカウンタＮｏは「０」に初期設定されるものであり、１回目のステップＳ３１ではカウンタＮｏが「１」にセットされる。
制御回路１０はステップＳ３２へ移行すると、図１５の物品テーブルからカウンタＮｏの現在の計測値に対応するＩＤコードを検出する。そして、データ要求信号にＩＤコードの検出結果を付与し、データ要求信号を発振する。次に、図１４のステップＳ３３でタグ部１６からの応答の有無を判断し、応答が有ることを検出したときにはステップＳ３４でＲＡＭに応答内容を記録し、ステップＳ３５で「Ｎｏ＝Ｍａｘ」を判断する。ここで「Ｎｏ＜Ｍａｘ」を検出したときにはステップＳ３１に復帰し、ステップＳ３１〜Ｓ３５を繰返す。即ち、データ要求信号のＩＤコードが物品テーブルに記録された発振順序に従って「１」から「Ｍａｘ」に変更され、物品テーブルに記録された全ての物品に対して応答の有無および内容がチェックされる。
【００４１】
例えば家屋１内から玄関２を通して物品が持出されようとしているときには持出品のタグ部１６が出入口２付近の検出領域でＲ／Ｗ部４に磁気的に結合し、Ｒ／Ｗ部４からのデータ要求信号を受信することに基いて自身のＩＤコードとデータ要求信号のＩＤコードとを比較する。このデータ要求信号のＩＤコードは物品テーブルの発振順序に従って循環的に変更されるものであり、物品テーブルに記録された全ての物品について対応するＩＤコードが発振される。従って、データ要求信号のＩＤコードが自身のＩＤコードに変更された時点で持出品のタグ部１６がＩＤコードの一致を検出し、メモリ２２の物品名を物品データとしてＲ／Ｗ部４に返信するので、制御回路１０がステップＳ３３で応答有りを検出し、ステップＳ３４で応答内容として物品名をＲＡＭに記録する。
【００４２】
制御回路１０はステップＳ３６へ移行すると、ＲＡＭの記録データに基いて持出品の有無を判断する。ここで持出品有りを判断したときにはステップＳ３７で警告メッセージを設定し、ステップＳ３８でパーソナルコンピュータ２６に警告指令および警告メッセージを送信する。この警告メッセージは物品が持出されることを外出者に警告するものであり、例えば持出品が「印鑑」であるときには警告メッセージとして「警告！！印鑑が持出されます！！」が設定される。
【００４３】
パーソナルコンピュータ２６は制御回路１０からの警告指令および警告メッセージを検出すると、携帯電話機２９にダイヤル信号および警告メッセージを送信する。すると、携帯電話機２９がパーソナルコンピュータ２６からのダイヤル信号および警告メッセージを検出し、携帯電話機３０に電子メールとして警告メッセージを発振する。従って、外出者が携帯電話機３０の警告メッセージを確認することで留守中に物品が持出されることを認識できる。
【００４４】
上記第４実施例によれば、在宅者の非存在状態で物品データの有無を判断した。このため、物品の盗難を検出し、警告を行うことができる。
上記第４実施例においては、外出者が所有する携帯電話機３０に盗難の発生および盗難品の種類を示す電子メールを送信したが、これに限定されるものではなく、例えば盗難の発生だけを示す電子メールを送信しても良い。
【００４５】
上記第４実施例においては、外出者が所有する携帯電話機３０に電子メールを送信することで警告を行ったが、これに限定されるものではなく、例えば家屋１の警報機を作動させることで警告を行ったり、警備会社に回線を通して盗難を通知することで警告を行っても良い。
上記第４実施例においては、ボックス３を玄関２だけに設置したが、これに限定されるものではなく、盗難者が出入する可能性がある裏口および窓等の出入口に追加的に設定しても良い。
【００４６】
上記第１〜第４実施例においては、携行品のタグ部１６から持主情報として所有者名を送信し、Ｒ／Ｗ部４が所有者名の受信結果に基いて外出者および帰宅者を識別する構成としたが、これに限定されるものではなく、例えば外出者および帰宅者がキー入力部１３を操作することに基いて名前を入力し、Ｒ／Ｗ部４がキー入力部１３の操作内容に応じて外出者および帰宅者を識別する構成としても良い。
【００４７】
上記第１〜第４実施例においては、外出時および帰宅時に忘れ物が有ること・外出時および帰宅時の忘れ物の種類を表示部１４に表示することで報知したが、これに限定されるものではなく、スピーカ等の鳴動部を鳴動させることに基いて音声で報知しても良い。
上記第１〜第４実施例においては、外出時および帰宅時に忘れ物の種類を報知したが、これに限定されるものではなく、例えば忘れ物があることだけを報知しても良い。
【００４８】
上記第１〜第４実施例においては、タグ部１６がＲ／Ｗ部４からのキャリア信号に基いて駆動電源を生成する構成としたが、これに限定されるものではなく、例えばタグ部１６に一次電池・二次電池等の電源を搭載しても良い。
上記第１〜第４実施例においては、持主情報および品名情報を共通のタグ部１６から発振したが、これに限定されるものではなく、例えば単一の携行品に持主情報を発振するタグ部１６および品名情報を発振するタグ部１６を固定し、両タグ部１６からＲ／Ｗ部４に持主情報および品名情報を発振しても良い。
【００４９】
上記第１〜第４実施例においては、使用者がＲ／Ｗ部４のメモリに携行品テーブル・持出品テーブル・持出品追加テーブル等を入力する構成としたが、これに限定されるものではなく、例えば予め入力しておく構成としても良い。
【図面の簡単な説明】
【００５０】
【図１】本発明の第１実施例を示す図（Ｒ／Ｗ部の制御内容を示すフローチャート）
【図２】無線管理装置の電気的構成を示すブロック図
【図３】無線管理装置の設置状態を示す家屋の斜視図
【図４】無線管理装置の外観を示す図
【図５】Ｒ／Ｗ部の記憶データを示す図（持出品テーブルを示す図）
【図６】Ｒ／Ｗ部の記憶データを示す図（携行品テーブルを示す図）
【図７】タグ部の記憶データを示す図
【図８】本発明の第２実施例を示す図（Ｒ／Ｗ部の制御内容を示すフローチャート）
【図９】Ｒ／Ｗ部の記憶データを示す図（持出品テーブルを示す図）
【図１０】本発明の第３実施例を示す図（Ｒ／Ｗ部の制御内容を示すフローチャート）
【図１１】Ｒ／Ｗ部の記憶データを示す図（持出品追加テーブルを示す図）
【図１２】電気的構成を示すブロック図
【図１３】本発明の第４実施例を示す図（Ｒ／Ｗ部の制御内容を示すフローチャート）
【図１４】Ｒ／Ｗ部の警告処理を示すフローチャート
【図１５】Ｒ／Ｗ部の記憶データを示す図（物品テーブルを示す図）
【図１６】電気的構成を示すブロック図
【符号の説明】
【００５１】
１は家屋、２は玄関（出入口）、４はＲ／Ｗ部（受信機）、１０は制御回路（記録部・外出者識別部・比較部・報知部・帰宅者識別部・検出部・警告部）、１６はタグ部（送信機）を示している。
【図１】
2005107860.tif 000003
【図２】
2005107860.tif 000004
【図３】
2005107860.tif 000005
【図４】
2005107860.tif 000006
【図５】
2005107860.tif 000007
【図６】
2005107860.tif 000008
【図７】
2005107860.tif 000009
【図８】
2005107860.tif 000010
【図９】
2005107860.tif 000011
【図１０】
2005107860.tif 000012
【図１１】
2005107860.tif 000013
【図１２】
2005107860.tif 000014
【図１３】
2005107860.tif 000015
【図１４】
2005107860.tif 000016
【図１５】
2005107860.tif 000017
【図１６】
2005107860.tif 000018